(57)【要約】【課題】  シールカバーを外す際の操作がスムーズで、封印シールを確実に切断できる遊技機の基板ケースを提供すること。【解決手段】  ボックス本体１０ａとカバー本体２０ａで回路基板を収容する基板ケース本体を構成し、ボックス本体の１０ａの端部にボックス側突出部１３を形成し、カバー本体２０ａの端部にカバー側突出部２３を形成した。ボックス側突出部１３に設けた支持部１３ｃを中心に回転可能な切断部材３１をボックス側突出部１３とカバー側突出部２３の間に設置した。封印シール３３をボックス側突出部１３とカバー側突出部２３とに貼り付け、その外部に、前方に引っ張ることにより、切断部材３１を回転させて封印シール３３を切断させるシールカバー３４を取り付けた。また、シールカバー３４の移動方向を切断部材３１の回転方向に沿わせる側部１３ａ，１３ｂ等からなるガイド部を設けた。【選択図】  図１３
2015033485.tif 000002
【特許請求の範囲】
【請求項１】
ボックス本体と、前記ボックス本体に着脱可能なカバー本体とからなり内部に回路基板が収容される基板ケース本体と、
前記ボックス本体の一方の端部から外側に向かって突出し、前記一方の端部に沿った所定の幅を有するボックス側突出部と、
前記ボックス側突出部に対向するようにして前記カバー本体の一方の端部から外側に向かって突出し、前記一方の端部に沿った所定の幅を有するカバー側突出部と、
前記ボックス側突出部と前記カバー側突出部との幅方向の一方側に位置する支点を中心として回転可能な状態で、前記ボックス側突出部と前記カバー側突出部との間に設置され、回転することにより外側に向かって突出する切断部材と、
前記ボックス側突出部と前記カバー側突出部とに掛け渡され、前記切断部材が前記ボックス側突出部と前記カバー側突出部との間から外側に突出するときに切断される封印シールと、
前記ボックス側突出部と前記カバー側突出部とを前記封印シールとともに覆って前記ボックス本体と前記カバー本体とを分離不能にし、外側に向かって移動することにより、前記切断部材を回転させて前記封印シールを切断させるシールカバーと、
前記ボックス側突出部と前記シールカバーおよび前記カバー側突出部と前記シールカバーの少なくとも一方に形成され、前記シールカバーが外側に向かって移動するときに、前記シールカバーの移動方向が前記切断部材の回転方向に沿うように前記シールカバーをガイドするガイド部と
を備えたことを特徴とする遊技機の基板ケース。
【請求項２】
前記切断部材の先端部に弾性を有する係合片を設けるとともに、前記シールカバーに突部を設け、前記シールカバーを外側から前記ボックス側突出部と前記カバー側突出部とに取り付ける際に、前記突部が前記係合片を乗り越えて前記係合片の回転方向の後端部に係合するようにした請求項１に記載の遊技機の基板ケース。
【請求項３】
前記ボックス本体と、前記カバー本体との少なくとも一方に、前記切断部材の先端側で、前記係合片と前記突部とが係合する部分を覆う閉塞部を設けた請求項２に記載の遊技機の基板ケース。
【請求項４】
前記切断部材と前記シールカバーとに、前記切断部材が外側に向かって回転することを防止する回転防止機構を設けた請求項１ないし３のうちのいずれか一つに記載の遊技機の基板ケース。
【発明の詳細な説明】
【技術分野】
【０００１】
本発明は、遊技機を制御するための回路基板を収容する遊技機の基板ケースに関する。
【背景技術】
【０００２】
パチンコ機等の遊技機は、回路基板に備わった記憶部に記憶されたプログラムやデータに基づいてゲームが進行するようになっており、この回路基板は基板ケースの中に収容されて遊技機の内部に設置されている。また、記憶部には法律により定められた当たりの確率を決定するデータも記憶されており、これを、勝手に変更することは違法になる。このため、基板ケースには、封印シールが設けられ、基板ケースを開いた場合には、封印シールの破断状態により、封印を解除したことが分かるようになっている（例えば、特許文献１参照）。
【０００３】
この基板ケースは、ベース側貼付部を備えたボックスベースと、カバー側貼付部を備えたボックスカバーとを備えており、ベース側貼付部とカバー側貼付部との間に切断部材が挿入されている。そして、ベース側貼付部とカバー側貼付部を跨いで、ＩＣチップ、アンテナ部および接続部を備えた封印シールを貼着し、その上にシールカバー体を被せて封印シールを覆っている。また、切断部材の両側には、シールカバー体の両内側面に係合する係止爪が設けられており、シールカバー体をスライドさせてベース側貼付部とカバー側貼付部から外すと、切断部材がシールカバー体と一緒に移動して、封印シールの切断部を切断する。これによって、ＩＣチップに記憶されたデータが読み取り不能になったり、切断部を目視したりすることで封印が解除されたことを認識できる。
【先行技術文献】
【特許文献】
【０００４】
【特許文献１】特開２０１０−１１５２２２号公報
【発明の概要】
【０００５】
しかしながら、前述した基板ケースでは、切断部材の両側に設けられた係止爪が、シールカバー体の両内側面に係合するため、シールカバー体を取り外す際に、シールカバー体を、傾けた状態でスライドさせると、切断部材の一方のみがシールカバー体に引っ掛かってガタついたり、スライドさせ難くなったりすることがある。このため、従来の基板ケースでは、シールカバー体をベース側貼付部とカバー側貼付部とに対して真っ直ぐにスライドさせるように移動させなければならず、操作性がよいものではなかった。
【０００６】
また、封印シールを確実に切断するためには、切断部材を一端部を中心に回転させることが好ましいが、このような切断部材を用いてシールカバー体を真っ直ぐにスライドさせると、切断部材の回転により切断部材とシールカバー体との係合がすぐに解除されてしまい、切断部材の回転角度を大きくすることができない。このため、封印シールには小さな切断部しか形成されず、封印が解除されたか否かの判断が難しくなるという問題がある。
【０００７】
本発明は、前述した問題に対処するためになされたもので、その目的は、シールカバーを外す際の操作がスムーズで、封印シールを確実に切断できる遊技機の基板ケースを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００８】
前述した目的を達成するため、本発明に係る遊技機の基板ケースの構成上の特徴は、ボックス本体（１０ａ）とボックス本体に着脱可能なカバー本体（２０ａ）とからなり内部に回路基板が収容される基板ケース本体と、ボックス本体の一方の端部から外側に向かって突出し一方の端部に沿った所定の幅を有するボックス側突出部（１３）と、ボックス側突出部に対向するようにしてカバー本体の一方の端部から外側に向かって突出し一方の端部に沿った所定の幅を有するカバー側突出部（２３）と、ボックス側突出部とカバー側突出部との幅方向の一方側に位置する支点（１３ｃ）を中心として回転可能な状態でボックス側突出部とカバー側突出部との間に設置され回転することにより外側に向かって突出する切断部材（３１）と、ボックス側突出部とカバー側突出部とに掛け渡され、切断部材がボックス側突出部とカバー側突出部との間から外側に突出するときに切断される封印シール（３３）と、ボックス側突出部とカバー側突出部とを封印シールとともに覆ってボックス本体とカバー本体とを分離不能にし、外側に向かって移動することにより、切断部材を回転させて封印シールを切断させるシールカバー（３４）と、ボックス側突出部とシールカバーおよびカバー側突出部とシールカバーの少なくとも一方に形成されシールカバーが外側に向かって移動するときにシールカバーの移動方向が切断部材の回転方向に沿うようにシールカバーを傾斜させるガイド部（１３ａ，１３ｂ，２３ａ，２３ｂ，３４ｄ，３４ｅ）とを備えたことにある。
【０００９】
本発明に係る遊技機の基板ケースでは、回路基板を収容するボックス本体とカバー本体とのそれぞれの一方側の端部に、ボックス側突出部とカバー側突出部とが対向して形成されている。そして、ボックス側突出部とカバー側突出部との間に、ボックス側突出部とカバー側突出部との幅方向の一方側に位置する支点を中心として回転可能な状態で切断部材が配置されており、この切断部材は、回転することにより、ボックス側突出部とカバー側突出部との間から外側に突出する。また、ボックス側突出部とカバー側突出部とにはボックス本体とカバー本体とを分離不能にして取り付けられ、外側に向かって移動することにより、切断部材を回転させるシールカバーが設けられている。
【００１０】
このため、封印シールをボックス側突出部とカバー側突出部との隙間に掛け渡して貼り付けた状態から、シールカバーを外側に移動させると、切断部材が回転して封印シールを切断しながら外部に突出する。この場合、シールカバーは、ガイド部によって、切断部材の回転方向に沿うように傾斜した方向に移動する。この場合の移動方向は、シールカバーをボックス側突出部とカバー側突出部との端部に直交する方向に対して傾斜した方向、すなわち、回転する切断部材の先端部が移動する方向に沿った方向である。これによって、シールカバーが切断部材を外部に突出させるときの突出量を増加させることができる。
【００１１】
すなわち、切断部材は、所定位置の支点を中心として回転するため、シールカバーをボックス側突出部とカバー側突出部との端部に直交する方向に真っ直ぐ移動させた場合には、切断部材が回転し始めて比較的早い段階で切断部材とシールカバーとの係合が解除されてしまう。このため、封印シールに十分認識できる大きさの切断部を設けることができないおそれがある。しかしながら、シールカバーが切断部材の回転方向に沿うように傾斜した方向に移動すると、切断部材とシールカバーとの係合が解除される時期が遅くなるため、その分、切断部材の外部への突出量が増加するようになる。これによって、封印シールに生じる切断部を容易に認識できるようになる。
【００１２】
また、本発明に係る遊技機の基板ケースの他の構成上の特徴は、切断部材の先端部に弾性を有する係合片（３１ｅ）を設けるとともに、シールカバーに突部（３６）を設け、シールカバーを外側からボックス側突出部とカバー側突出部とに取り付ける際に、突部が係合片を乗り越えて係合片の回転方向の後端部に係合するようにしたことにある。
【００１３】
本発明によると、切断部材に弾性を有する係合片が設けられ、シールカバーに係合片に係合可能な突部が設けられている。このため、シールカバーを、封印シールが貼り付けられたボックス側突出部とカバー側突出部とに取り付ける際に、突部を係合片に位置合わせするようにして、シールカバーをボックス本体とケースカバーとに近づけていくと、突部は、係合片を撓ませるようにして乗り越えて、係合片の回転方向の後端部に係合する。そして、突部が、係合片を乗り越えたのちに、係合片は元の状態に戻るため、切断部材とシールカバーとは係合状態を維持する。
【００１４】
また、本発明に係る遊技機の基板ケースのさらに他の構成上の特徴は、ボックス本体と、カバー本体との少なくとも一方に、切断部材の先端側で、係合片と突部とが係合する部分を覆う閉塞部（１４，２４）を設けたことにある。本発明によると、シールカバーを取り外すことによって、ボックス本体と、カバー本体とを外す通常の操作によらず、外部からの操作により、切断部材の係合片とシールカバーの突部との係合を解除させて、切断部材を回転させることなくシールカバーを取り外して、ボックス本体と、カバー本体とを分離可能にすることを防止できる。これによって、不正に基板ケースが開けられることを防止できる。
【００１５】
また、本発明に係る遊技機の基板ケースのさらに他の構成上の特徴は、切断部材とシールカバーとに、切断部材が外側に向かって回転することを防止する回転防止機構（３１ｄ，３７）を設けたことにある。本発明によると、シールカバーがボックス側突出部とカバー側突出部とを分離不能にして取り付けられているときに、切断部材が不意に回転して、封印シールを切断することを防止できる。また、シールカバーを、封印シールが貼り付けられたボックス側突出部とカバー側突出部とに取り付ける際に、反動によって切断部材が回転して、封印シールを切断することも防止できる。
【図面の簡単な説明】
【００１６】
【図１】本発明の一実施形態に係る基板ケースを示した斜視面である。
【図２】基板ケースの分解斜視図である。
【図３】切断部材を示しており、（ａ）は斜視図、（ｂ）は平面図、（ｃ）は正面図である。
【図４】図２の状態から収容ボックス、カバーおよび切断部材を組み付けた状態を示した斜視図である。
【図５】図４のボックス側突出部とカバー側突出部とに封印シールを貼り付けた状態を示した斜視図である。
【図６】シールカバーを前側上方から見た状態を示した斜視図である。
【図７】シールカバーを後側上方から見た状態を示した斜視図である。
【図８】シールカバーを示しており、（ａ）は側面図、（ｂ）は背面図である。
【図９】図８（ａ）の９−９断面図である。
【図１０】図８（ａ）の１０−１０断面図である。
【図１１】基板ケースを示した平面面である。
【図１２】封印シールが貼り付けられたボックス側突出部とカバー側突出部からシールカバーを取り外す状態を示した平面図である。
【図１３】封印シールが貼り付けられたボックス側突出部とカバー側突出部からシールカバーを取り外した状態を示した平面図である。
【図１４】シールカバーを取り外して封印シールを切断した状態を示した斜視図である。
【図１５】シールカバーを取り外すときのシールカバーの移動方向を示した平面図である。
【発明を実施するための形態】
【００１７】
以下、本発明の一実施形態に係る遊技機の基板ケースを図面を用いて説明する。図１は同実施形態に係る基板ケースＡを示しており、図２は基板ケースＡを分解した状態を示している。なお、以下の説明において、前後、左右、上下の各方向は、図１に基づくものとし、図１における左下方が前方、右上方が後方、左上方が左側、右下方が右側であるとする。この基板ケースＡは、パチンコ機（図示せず）に組み込まれるもので、収容ボックス１０と、収容ボックス１０に着脱可能なカバー２０とを備えており、内部に、回路基板（図示せず）が収容されている。この回路基板にはパチンコ機に備わっている各装置を制御するためのプログラムや、当たりの確率を決定するためのデータ等が記憶された記憶部を含む回路や電子部品が備わっている。
【００１８】
収容ボックス１０は、ボックス本体１０ａと、ボックス側突出部１３と、カシメ板収容下部１４とで構成されている。ボックス本体１０ａは、上部および後部が開放された扁平箱状の外郭部１１の内部に、平面視が略コ字状の枠からなる基板収容部１２を形成して構成されている。外郭部１１は、矩形の底部１１ａと、底部１１ａの前端の縁部から上方に突出した前壁部１１ｂと、底部１１ａの左右の縁部から上方に突出した側壁部１１ｃ，１１ｄとで構成されている。また、前壁部１１ｂの上端における左側部分には、上下が短く左右に長い小さな凹部１１ｅが形成されている。
【００１９】
基板収容部１２は、側壁部１１ｃ，１１ｄとそれぞれ間隔を保った状態で前壁部１１ｂの後面から底部１１ａの後端部近傍まで延びる側壁部１２ａ，１２ｂと、底部１１ａの上面で側壁部１２ａ，１２ｂの後端部間に掛け渡された後壁部１２ｃとで構成されている。側壁部１１ｃと側壁部１２ａとの間隔は、後述するカバー２０の側壁部２１ｄ（図１１〜１３参照）を余裕を持って挿入できる幅に設定され、側壁部１１ｄと側壁部１２ｂとの間隔は、後述するカバー２０の側壁部２１ｅを余裕を持って挿入できる幅に設定されている。
【００２０】
基板収容部１２の高さは、外郭部１１よりも少し低くなっており、この基板収容部１２と、底部１１ａと、前壁部１１ｂとで囲まれる部分は回路基板を設置できる大きさに形成されている。また、後壁部１２ｃの後面における左右両側には、後方に突出する一対の係合突片１２ｄ，１２ｅが形成されている。さらに、側壁部１１ｃと側壁部１２ａとの間の後部側部分における側壁部１２ａの上下方向の中央部分に、連結係合部１２ｆ（図１１〜１３参照）が掛け渡され、側壁部１１ｄｃと側壁部１２ｂとの間の後部側部分における側壁部１２ｂの上下方向の中央部分に、連結係合部１２ｇが掛け渡されている。
【００２１】
ボックス側突出部１３は、ボックス本体１０ａの前端部から前方に突出する板状部分で構成されており、前壁部１１ｂの中央部分から左側部分にかけて形成されている。このボックス側突出部１３は、前後よりも左右に長く形成されており、左右の側部１３ａ，１３ｂは、それぞれ前壁部１１ｂから前方左側に傾斜して延びている。側部１３ａ，１３ｂの前方（側壁部１１ｃ，１１ｄが延びている方向）に対する傾斜角は、１０度程度に設定されている。
【００２２】
また、側部１３ａの上端の高さは前壁部１１ｂの上端の高さと同じに設定され、側部１３ｂの上端の高さは前壁部１１ｂの上端の高さよりも少し低く設定されている。そして、ボックス側突出部１３の上面における左側部分には、内面にねじが形成された円筒状の支持部１３ｃが上方に向かって形成されている。さらに、側部１３ａの左側には、側部１３ａと平行して前壁部１１ｂから斜め前方に延びる短い挟持突片１３ｄが形成されている。
【００２３】
カシメ板収容下部１４は、ボックス本体１０ａの前端部右側から前方に突出しており、略箱状に形成された外周下部１４ａの内部に、左右に間隔を保って配置された一対の固定下部１４ｂ（一方しか図示せず）を形成して構成されている。外周下部１４ａの後壁部は、前壁部１１ｂの一部と共通して構成され、左側壁部の高さは、後壁部を構成する前壁部１１ｂの高さと同じになっている。そして、外周下部１４ａの前壁部と右側壁部とは、他の部分よりも上方に延びて高くなっており、前壁部はボックス側突出部１３の前端よりも前方に位置している。
【００２４】
一対の固定下部１４ｂは、外周下部１４ａ内で上下に延び、平面視が前後に長い四角形に形成された筒状に形成されており、外周面の下部の所定部分が棒状の連結部１４ｄ（図１１〜１３参照）によって、外周下部１４ａの内面に連結されている。固定下部１４ｂの下端は外周下部１４ａの下端と同じ高さに位置し、固定下部１４ｂの上端は外周下部１４ａの左側壁部の上端と右側壁部の上端との中間（前壁部１１ｂの上端と前壁部の上端との中間も同じ）の高さに位置している。また、外周下部１４ａの前壁部の上部には左右に細長いスリット１４ｃが形成されている。
【００２５】
カバー２０は、カバー本体２０ａと、カバー側突出部２３と、カシメ板収容上部２４とで構成されている。カバー本体２０ａは、ボックス本体１０ａの上部を覆える大きさの蓋で構成されており、ボックス本体１０ａとで本発明に係る基板ケース本体を構成している。このカバー本体２０ａは、天井部２１ａと、周壁部２１ｂとで構成されており、天井部２１ａは、中央から左側にかけての部分が右側部分よりも高くなった段違いに形成されている。周壁部２１ｂは、天井部２１ａの前端の縁部から下方に延びる前壁部２１ｃと、天井部２１ａの左右の縁部から下方に延びる側壁部２１ｄ，２１ｅと、天井部２１ａの後端の縁部から下方に延びる後壁部２１ｆ（図１１〜１３参照）とで構成されている。
【００２６】
側壁部２１ｄ，２１ｅの前後方向の中央部分には、係合溝２２（側壁部２１ｄの係合溝は図示せず）がそれぞれ形成されている。この係合溝２２は、前方に位置する溝前部２２ａと後方に位置する溝後部２２ｂとからなっており、溝前部２２ａは側壁部２１ｄ，２１ｅの下縁部に沿って前後に延びる凹部からなり、溝後部２２ｂは溝前部２２ａの後端上部から後方に延びる細長い凹部からなっている。この係合溝２２は、収容ボックス１０にカバー２０を組み付けたときに、連結係合部１２ｆ，１２ｇに係合する。また、後壁部２１ｆの左右両側には、後壁部１２ｃの係合突片１２ｄ，１２ｅに係合可能な係合穴２２ｃ，２２ｄ（図１１−１３参照）が形成されている。
【００２７】
カバー側突出部２３は、カバー本体２０ａの前端部から前方に突出する板状部分で構成されており、前壁部２１ｃの中央部分から左側部分にかけて形成されている。このカバー側突出部２３は、前後よりも左右に長く形成されており、左右の側部２３ａ，２３ｂは、それぞれ前壁部２１ｃから前方左側に傾斜して延びている。側部２３ａ，２３ｂの前方（側壁部２１ｄ，２１ｅが延びている方向）に対する傾斜角は、１０度程度に設定されている。また、側部２３ａの下端の高さは、側部２３ｂの下端の高さよりも少し低く設定されている。そして、カバー側突出部２３の左側部分には、上方に貫通するねじ挿通穴２３ｃが形成され、カバー側突出部２３の左右の中央部分には、ねじ挿通穴２３ｃを中心とした円弧状のガイド溝２３ｄがカバー側突出部２３の後端から前端にわたって形成されている。
【００２８】
カシメ板収容上部２４は、カバー本体２０ａの前端部右側から前方に突出しており、略箱状に形成された外周上部２４ａの内部に、左右に間隔を保って配置された一対の固定上部２４ｂ，２４ｃを形成して構成されている。外周上部２４ａは、カシメ板収容下部１４の外周下部１４ａよりも少し小さく形成されて、外周下部１４ａ内に収容可能になっている。また、カシメ板収容上部２４の上端の高さは、天井部２１ａと同じで、下端の高さはカバー側突出部２３の下部の高さと略同じになっているが、外周上部２４ａの前壁部の下端の高さは他の部分よりも高くなってこの部分に凹部が形成されている。そして、この前壁部はカバー側突出部２３の前端よりも前方に位置しており、前壁部の前面上部には、外周下部１４ａのスリット１４ｃに係合できる左右に細長い係合部２４ｄが形成されている。
【００２９】
固定上部２４ｂ，２４ｃは、外周上部２４ａ内で上下に延び、平面視が前後に長い四角形に形成された筒状に形成されており、外周面の所定部分が棒状の複数の連結部２４ｅによって、外周上部２４ａの内面に連結されている。固定上部２４ｂ，２４ｃの上端は外周上部２４ａの上端と同じ高さに位置し、固定上部２４ｂ，２４ｃの下端は外周上部２４ａの上端と下端との中間の高さに位置している。
【００３０】
このように構成されたカバー２０は、側壁部１１ｃと側壁部１２ａとの間に側壁部２１ｄを入れ、側壁部１１ｄと側壁部１２ｂとの間に側壁部２１ｅを入れるようにして、収容ボックス１０に対して後方からスライドさせることにより、収容ボックス１０に組み付けられる。この場合、収容ボックス１０の連結係合部１２ｆ，１２ｇが、係合溝２２の溝前部２２ａの下部から上部に入ったのちに溝後部２２ｂ内に入ることにより、係合溝２２と連結係合部１２ｆ，１２ｇとが係合する。また、外周下部１４ａのスリット１４ｃに、外周上部２４ａの係合部２４ｄが係合し、ボックス本体１０ａの係合突片１２ｄ，１２ｅに、カバー本体２０ａの係合穴２２ｃ，２２ｄが係合する。これによって、カバー２０は、収容ボックス１０に対して上方にはずれることはなくなる。
【００３１】
さらに、ボックス側突出部１３の上方に、カバー側突出部２３が重なるように位置し、ボックス側突出部１３とカバー側突出部２３との間には空間が形成される。また、側部１３ａと側部２３ａとは接触してボックス側突出部１３とカバー側突出部２３との左側部は閉塞されるが、ボックス側突出部１３とカバー側突出部２３との前部から右側部にかけての部分には隙間が形成される。そして、支持部１３ｃの上方にねじ挿通穴２３ｃが位置する。
【００３２】
また、カシメ板収容下部１４の外周下部１４ａの内部上方に、カシメ板収容上部２４の外周上部２４ａが位置し、一対の固定下部１４ｂの上方に、固定上部２４ｂ，２４ｃが位置し、一対の固定下部１４ｂと固定上部２４ｂ，２４ｃとは、それぞれ上下に連通した筒状に形成される。後述する切断部材３１が取り付けられた状態の収容ボックス１０とカバー２０における一対の固定下部１４ｂと固定上部２４ｂ，２４ｃとには、それぞれ固定用の板金２５ａ，２５ｂ（図１１〜１３参照）が無理嵌めされて、収容ボックス１０とカバー２０とは分離できなくなる。また、カシメ板収容下部１４とカシメ板収容上部２４とは、ボックス側突出部１３とカバー側突出部２３との右側に位置しており、このカシメ板収容下部１４とカシメ板収容上部２４とによって、本発明に係る閉塞部が構成される。
【００３３】
また、基板ケースＡには、前述した収容ボックス１０とカバー２０の他、切断部材３１、封印シール３３およびシールカバー３４も備わっている。切断部材３１は、図３（ａ）〜（ｃ）に示したように、本体部分３１ａが左右に長い薄板状に形成されており、その前側縁部に凸部と凹部が交互に配置された波状の刃部３１ｂが形成され、左端部近傍に上下に貫通する回転中心穴３１ｃが形成されている。本体部分３１ａにおける回転中心穴３１ｃが形成された部分は他の部分よりも肉厚に形成され、回転中心穴３１ｃは、内部に支持部１３ｃが挿通できる大きさに形成されている。
【００３４】
また、本体部分３１ａの後部における左右方向の中央近傍には、後方に突出した突片が形成されており、この突片の上面に上方に延びる係合棒３１ｄが形成されている。さらに、本体部分３１ａの右端には弾性係合片３１ｅが形成されている。弾性係合片３１ｅは、本体部分３１ａの右端部側部分に後部から前部側に延びる細長い凹部を設けることによって形成されており、本体部分３１ａに連結された前部よりも後部が右側に突出している。そして、この弾性係合片３１ｅは、左側または右側に付勢されることにより後部が左側または右側に撓み、付勢が解除されることにより、元の形状に復元する。
【００３５】
このように構成された切断部材３１を、ボックス側突出部１３とカバー側突出部２３との間の空間に設置する場合には、まず、カバー２０が組み付けられていない状態の収容ボックス１０のボックス側突出部１３における支持部１３ｃを回転中心穴３１ｃに挿通させて切断部材３１を、ボックス側突出部１３に組み付ける。そして、図４に示したように、収容ボックス１０にカバー２０を組み付けて、カバー側突出部２３のねじ挿通穴２３ｃにねじ３２を通し、そのねじ３２を支持部１３ｃのねじ穴に螺合させる。
【００３６】
これによって、切断部材３１が、ボックス側突出部１３とカバー側突出部２３との間の空間で、支持部１３ｃを中心として回転可能になるとともに、収容ボックス１０とカバー２０とは互いに固定される。切断部材３１が後方に位置しているときには、本体部分３１ａにおける係合棒３１ｄが設けられた突片は、前壁部１１ｂの凹部１１ｅ内に位置する。また、切断部材３１が前方に向かって回転するときに、係合棒３１ｄは、ガイド溝２３ｄ内の後端部から前方に向かって移動し、切断部材３１における刃部３１ｂや弾性係合片３１ｅ側部分は、ボックス側突出部１３とカバー側突出部２３との隙間を通過する。
【００３７】
そして、切断部材３１が組み付けられたボックス側突出部１３とカバー側突出部２３との上面、前面および下面にかけての部分に封印シール３３を貼り付けて、図５の状態にする。この場合、係合棒３１ｄの上端部は、封印シール３３の後方で上方に突出している。封印シール３３は、可撓性を有する樹脂フィルムからなる矩形のフィルムの裏面に粘着層を形成して構成されており、側方から見た状態でコ字状になるように折り曲げて、ボックス側突出部１３とカバー側突出部２３とに貼り付けられる。このため、切断部材３１が前方に移動したときに、封印シール３３は刃部３１ｂによって切断される。
【００３８】
シールカバー３４は、後面が開放された左右に長い箱形に形成されており、封印シール３３が貼り付けられたボックス側突出部１３とカバー側突出部２３とを前方から覆うことのできる大きさに形成されている。すなわち、シールカバー３４は、図６ないし図１０に示したように、前面部３４ａ、前面部３４ａの上下の縁部から対向して後方に延びる天井部３４ｂと底面部３４ｃ、および、前面部３４ａの左右の縁部から対向して後方に延びる側面部３４ｄ，３４ｅで構成されている。
【００３９】
側面部３４ｄ，３４ｅは、ともに後部よりも前部が左側に位置した傾斜部で構成されており、その前方に対する傾斜角は、前述した側部１３ａ，１３ｂおよび側部２３ａ，２３ｂの傾斜角と同じ角度に設定されている。側部１３ａ，１３ｂ、側部２３ａ，２３ｂおよび側面部３４ｄ，３４ｅで本発明に係るガイド部が構成される。また、側面部３４ｄの後部側で下部側の部分には、左方向に突出する上面部、下面部および側面部を備え、側面部が、前面部３４ａ、天井部３４ｂおよび底面部３４ｃとそれぞれ直交する位置にある断面形状がコ字状の突部３５が形成されている。
【００４０】
側面部３４ｅの上下方向の中央には、右方向に突出してその右端部が突部３５の側面部と平行し、平面視が略三角形になった一対の突片３５ａ，３５ｂが上下に間隔をおいて形成されている。さらに、側面部３４ｅの内面における後部側で上下方向の中央部分には、平面視で前面が平面になり後面が曲面に形成された先細りの小突部３６が側面部３４ｄ側に向かって形成されている。この小突部３６は、切断部材３１の弾性係合片３１ｅの後端部に係合できる。また、天井部３４ｂの後端における左右方向の中央には、天井部３４ｂの下面に凹部が形成されるように上方に突出した膨出部３７が設けられている。
【００４１】
このシールカバー３４を、封印シール３３が貼り付けられたボックス側突出部１３とカバー側突出部２３とに取り付ける場合には、図５に示したように、シールカバー３４を封印シール３３の前方やや左側の位置から、二点鎖線で示した僅かに傾斜した方向に移動させる。この場合、シールカバー３４は、側面部３４ｄ，３４ｅの内面を側部１３ａ，１３ｂおよび側部２３ａ，２３ｂに摺接させながら移動していく。そして、小突部３６が切断部材３１の弾性係合片３１ｅに当接すると、シールカバー３４は弾性係合片３１ｅを左側に撓ませながらさらに後方に移動する。小突部３６が弾性係合片３１ｅの後端部を越えると、弾性係合片３１ｅは元の状態に戻り、後端部が小突部３６の前面に係合する。また、側面部３４ｄの下部は、側部１３ａと挟持突片１３ｄとの間に挟持される。
【００４２】
これによって、シールカバー３４の後端部は、ボックス側突出部１３とカバー側突出部２３との後端部に達して前方に引っ張られない限りボックス側突出部１３とカバー側突出部２３から外れなくなる。また、このとき、切断部材３１の係合棒３１ｄの上端部は、膨出部３７の内部に位置して切断部材３１が前方に回転することを防止する。また、係合棒３１ｄと膨出部３７の内面前部とは、小突部３６が弾性係合片３１ｅの後端部を越えるときに生じる振動によって、切断部材３１が回転することも防止する。この係合棒３１ｄと膨出部３７とで、本発明に係る回転防止機構が構成される。以上のようにして、図１に示した基板ケースＡが得られる。
【００４３】
つぎに、基板ケースＡを開封するときの動作について説明する。この場合、図１１に示した状態から、シールカバー３４を前方に引っ張って、図１２に示した状態にする。このとき、シールカバー３４は、側面部３４ｄ，３４ｅの内面を側部１３ａ，１３ｂおよび側部２３ａ，２３ｂに摺接させながら斜め前方に移動していき、これによって、小突部３６が弾性係合片３１ｅの後端部を前方に移動させる。このため、切断部材３１は、図１２の状態で時計周り方向に回転し、切断部材３１の刃部３１ｂは、ボックス側突出部１３とカバー側突出部２３との隙間から前方外部に突出していく。これによって、刃部３１ｂが封印シール３３の前面を右端部から左側に向けて切断していき、係合棒３１ｄが封印シール３３の上面を後端部から前方に向けて切断していく。
【００４４】
シールカバー３４が、ボックス側突出部１３およびカバー側突出部２３を覆っている間は、側部１３ａ，１３ｂ、側部２３ａ，２３ｂおよび側面部３４ｄ，３４ｅがそれぞれ、切断部材３１の先端が回転する方向に傾斜しているため、切断部材３１が回転しても小突部３６と弾性係合片３１ｅとは係合した状態に維持される。このため、封印シール３３は確実に切断される。さらに、シールカバー３４を前方に引っ張ると、図１３および図１４に示したように、シールカバー３４は、ボックス側突出部１３およびカバー側突出部２３から離れていく。このとき、弾性係合片３１ｅの後端部は、小突部３６に引っ張られて右側に撓むようになり、切断部材３１には最も大きな回転力が加わるようになる。このため、封印シール３３に生じる切断部は確実に大きくなっていき、その後、小突部３６と弾性係合片３１ｅとの係合は解除される。
【００４５】
また、図１５には、シールカバー３４を、ボックス側突出部１３とカバー側突出部２３とに対して着脱する際のシールカバー３４の移動の軌道を示している。このような直線方向にシールカバー３４を移動させることにより、小突部３６と弾性係合片３１ｅとが係合した状態を長く維持して、封印シール３３に生じる切断部を大きくすることができる。そして、封印シール３３を、さらに、ボックス側突出部１３とカバー側突出部２３との隙間に沿って切断するとともに、カシメ板収容下部１４とカシメ板収容上部２４とから板金２５ａ，２５ｂを取り外すことにより、収容ボックス１０からカバー２０が取り外し可能になる。
【００４６】
以上のように、本実施形態に係る基板ケースＡでは、回路基板を収容するボックス本体１０ａとカバー本体２０ａとのそれぞれの前端部に、ボックス側突出部１３とカバー側突出部２３とが対向して形成されている。そして、ボックス側突出部１３とカバー側突出部２３との間に、支持部１３ｃを中心として回転可能な状態で切断部材３１が設置され、ボックス側突出部１３とカバー側突出部２３とには、前方に向かって引っ張られることにより、切断部材３１を前方に回転させるシールカバー３４が取り付けられている。このため、封印シール３３をボックス側突出部１３とカバー側突出部２３との前面側に掛け渡して貼り付けた状態から、シールカバー３４を前方に移動させると、切断部材３１が回転して封印シール３３を切断する。
【００４７】
この場合、シールカバー３４は、側部１３ａ，１３ｂ等からなるガイド部によって、切断部材３１の回転方向に沿うように傾斜した方向に移動するため、切断部材３１の弾性係合片３１ｅとシールカバー３４の小突部３６との係合が解除される時期が遅くなる。これもよって、切断部材３１の前方への突出量が増加して、封印シール３３に生じる切断部が大きくなり、切断部の認識が容易になる。また、本実施形態では、ボックス側突出部１３とカバー側突出部２３との右側近傍に、カシメ板収容下部１４とカシメ板収容上部２４とが設けられている。このため、シールカバー３４が取り付けられたままの状態で、外部からの操作により、弾性係合片３１ｅと小突部３６との係合を解除することができなくなる。これによって、不正に基板ケースＡが開けられることを防止できる。
【００４８】
さらに、本実施形態では、切断部材３１に係合棒３１ｄを設け、シールカバー３４に、係合棒３１ｄの上端部を内部に位置させて、係合棒３１ｄが不意に前方に移動することを防止する膨出部３７を設けている。このため、切断部材３１が不意に回転して、封印シール３３を切断することを防止できる。また、封印シール３３が貼り付けられたボックス側突出部１３とカバー側突出部２３とに、シールカバー３４を取り付ける際に、反動によって切断部材３１が回転して、封印シール３３を切断することも防止できる。
【００４９】
また、本発明に係る遊技機の基板ケースは、前述した実施形態に限定するものでなく、適宜変更することができる。例えば、前述した実施形態では、側部１３ａ，１３ｂの前方に対する傾斜角を、１０度程度としているが、これは、切断部材３１の左右の長さや他の条件に応じて適宜設定される。また、シールカバー３４を取り外す際の、移動方向は、直線でなく、切断部材３１の先端の回転軌道に沿った円弧状にしてもよい。さらに、本発明に係る遊技機の基板ケースのそれ以外の部分の構成についても本発明の技術的範囲内で適宜変更して実施することが可能である。
【符号の説明】
【００５０】
１０ａ…ボックス本体、１３…ボックス側突出部、１３ａ，１３ｂ，２３ａ，２３ｂ…側部、１３ｃ…支持部、１４…カシメ板収容下部、２４…カシメ板収容上部、２０ａ…カバー本体、２３…カバー側突出部、３１…切断部材、３１ｄ…係合棒、３１ｅ…弾性係合片、３３…封印シール、３４…シールカバー、３４ｄ，３４ｅ…側面部、３６…小突部、３７…膨出部、Ａ…基板ケース。
【図１】
2015033485.tif 000003
【図２】
2015033485.tif 000004
【図３】
2015033485.tif 000005
【図４】
2015033485.tif 000006
【図５】
2015033485.tif 000007
【図６】
2015033485.tif 000008
【図７】
2015033485.tif 000009
【図８】
2015033485.tif 000010
【図９】
2015033485.tif 000011
【図１０】
2015033485.tif 000012
【図１１】
2015033485.tif 000013
【図１２】
2015033485.tif 000014
【図１３】
2015033485.tif 000015
【図１４】
2015033485.tif 000016
【図１５】
2015033485.tif 000017